(57)【要約】【課題】脚立または足場を使うことができないような狭いスペースしかない場合であっても、高所における孔あけ作業を行うことを可能にする伸縮スタンド装置を提供する。【解決手段】伸縮スタンド装置１００は、一端が地面に接地し、鉛直方向に延びる支持棒１１０と、支持棒に対して鉛直方向にスライド可能な中段スタンド１３０と、中段スタンドの上方において支持棒に対して鉛直方向にスライド可能な上段スタンド１４０と、中段スタンド及び上段スタンドを鉛直方向にスライドさせるスタンドスライド機構２００と、からなる。ハンドル部材２５０を時計方向Ｒに回動させることにより、スタンドスライド機構２００を構成する各アーム部材２１０、２２０、２３０、２４０が回動し、中段スタンド及び上段スタンドが支持棒１１０に沿って上方にスライドする。【選択図】図１
0003133863.tif 000002
【実用新案登録請求の範囲】
【請求項１】
上下方向に伸縮可能な伸縮スタンド装置であって、
一端が地面に接地し、鉛直方向に延びる支持棒と、
前記支持棒に対して鉛直方向にスライド可能な中段スタンドであって、水平方向に延びる接続部材を有する中段スタンドと、
前記中段スタンドの上方において前記支持棒に対して鉛直方向にスライド可能な上段スタンドと、
前記中段スタンド及び前記上段スタンドを鉛直方向にスライドさせるスタンドスライド機構と、を備え、
前記スタンドスライド機構は、一対の第一アーム部材と、一対の第二アーム部材と、一対の第三アーム部材と、一対の第四アーム部材と、ハンドル部材と、を備えており、
前記一対の第一アーム部材の各々の一端が前記支持棒に回動自在に連結されており、
前記一対の第二アーム部材の各々の一端が前記一対の第一アーム部材の各々の他端と回動自在に連結され、かつ、前記一対の第二アーム部材の各々の前記一端と他端との間の回動支点において前記中段スタンドに対して回動自在に連結されており、
前記一対の第三アーム部材の各々の一端が前記一対の第二アーム部材の各々の前記他端に回動自在に連結されており、
前記ハンドル部材は、その両端の間の第一回動支点において、前記一対の第三アーム部材の各々の他端と回動自在に連結されており、
前記ハンドル部材は、その両端の間の第二回動支点において、前記接続部材に対して回動自在に連結されており、
前記ハンドル部材は、その一端において、前記一対の第四アーム部材の各々の一端と回動自在に連結されており、
前記一対の第四アーム部材の各々の他端は前記上段スタンドに対して回動自在に連結されており、
前記第一回動支点は、前記一対の第四アーム部材に連結されている前記ハンドル部材の前記一端と前記第二回動支点との間に位置しており、
前記一対の第一アーム部材の各々は前記支持棒を間に挟んで相互に平行に配置され、前記一対の第二アーム部材、前記一対の第三アーム部材及び前記一対の第四アーム部材の各々はそれぞれ前記中段スタンド、前記ハンドル部材及び前記上段スタンドを間に挟んで相互に平行に配置されている伸縮スタンド装置。
【請求項２】
上下方向に伸縮可能な伸縮スタンド装置であって、
一端が地面に接地し、鉛直方向に延びる支持棒と、
前記支持棒に対して鉛直方向にスライド可能な中段スタンドであって、水平方向に延びる接続部材を有する中段スタンドと、
前記中段スタンドの上方において前記支持棒に対して鉛直方向にスライド可能な上段スタンドと、
前記中段スタンド及び前記上段スタンドを鉛直方向にスライドさせるスタンドスライド機構と、を備え、
前記スタンドスライド機構は、第一アーム部材と、第二アーム部材と、第三アーム部材と、第四アーム部材と、ハンドル部材と、を備えており、
前記第一アーム部材の一端が前記支持棒に回動自在に連結されており、
前記第二アーム部材の一端が前記第一アーム部材の他端と回動自在に連結され、かつ、前記第二アーム部材の前記一端と他端との間の回動支点において前記中段スタンドに対して回動自在に連結されており、
前記第三アーム部材の一端が前記第二アーム部材の前記他端に回動自在に連結されており、
前記ハンドル部材は、その両端の間の第一回動支点において、前記第三アーム部材の他端と回動自在に連結されており、
前記ハンドル部材は、その両端の間の第二回動支点において、前記接続部材に対して回動自在に連結されており、
前記ハンドル部材は、その一端において、前記第四アーム部材の一端と回動自在に連結されており、
前記第四アーム部材の他端は前記上段スタンドに対して回動自在に連結されており、
前記第一回動支点は、前記第四アーム部材に連結されている前記ハンドル部材の前記一端と前記第二回動支点との間に位置している伸縮スタンド装置。
【請求項３】
前記ハンドル部材は、Ｙ字状に二股に分かれている二股部分と、前記二股部分から延びる棒状の棒状部分と、からなり、前記二股部分の各々において前記一対の第三アーム部材の各々の他端または前記第三アーム部材の他端と回動自在に連結され、前記棒状部分において前記接続部材と回動自在に連結され、前記二股部分の各先端において前記一対の第四アーム部材の各々の一端または前記第四アーム部材の一端と回動自在に連結されていることを特徴とする請求項１または２に記載の伸縮スタンド装置。
【請求項４】
前記ハンドル部材の他端において前記ハンドル部材に対して着脱可能な重りを有することを特徴とする請求項１乃至３の何れか一項に記載の伸縮スタンド装置。
【請求項５】
前記一対の第一アーム部材と前記一対の第二アーム部材との間または前記第一アーム部材と前記第二アーム部材との間、前記一対の第二アーム部材と前記一対の第三アーム部材との間または前記第二アーム部材と前記第三アーム部材との間、及び、前記一対の第三アーム部材と前記一対の第四アーム部材との間または前記第三アーム部材と前記第四アーム部材との間の少なくとも何れか一つに配置されたバネ部材であって、それぞれ前記一対の第二アーム部材を前記一対の第一アーム部材に向かう方向もしくは前記第二アーム部材を前記第一アーム部材に向かう方向、前記一対の第三アーム部材を前記一対の第二アーム部材に向かう方向もしくは前記第三アーム部材を前記第二アーム部材に向かう方向、または、前記一対の第四アーム部材を前記一対の第三アーム部材に向かう方向もしくは前記第四アーム部材を前記第三アーム部材に向かう方向に付勢するバネ部材を備えることを特徴とする請求項１乃至４の何れか一項に記載の伸縮スタンド装置。
【考案の詳細な説明】
【技術分野】
【０００１】
本考案は伸縮スタンド装置に関する。
【背景技術】
【０００２】
ドリルその他の穿孔器具を用いて、建物の天井その他の高所に孔を形成する場合、従来は、脚立を用いたり、足場を組み上げたりすることが多かった。
【考案の開示】
【考案が解決しようとする課題】
【０００３】
脚立あるいは足場を利用するにしても、重い穿孔器具を持って昇り降りする必要があるため、作業効率は低いものとならざるを得なかった。さらに、高所に昇ることになるため、作業者には落下の危険性が常につきまとっていた。
【０００４】
また、最大の問題は、狭いスペースしかない場合には、脚立または足場を用いることができず、高所における孔あけ作業ができないこともある、という点であった。
【０００５】
本考案は以上のような問題点に鑑みてなされたものであり、作業者が穿孔器具を持って脚立または足場を昇る必要性をなくし、さらに、脚立または足場を使うことができないような狭いスペースしかない場合であっても、高所における孔あけ作業を確実に行うことを可能にする伸縮スタンド装置を提供することを目的とする。
【課題を解決するための手段】
【０００６】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００７】
上記の目的を達成するため、本考案は、上下方向に伸縮可能な伸縮スタンド装置（１００）であって、一端が地面に接地し、鉛直方向に延びる支持棒（１１０）と、前記支持棒（１１０）に対して鉛直方向にスライド可能な中段スタンド（１３０）であって、水平方向に延びる接続部材（１３１）を有する中段スタンド（１３０）と、前記中段スタンド（１３０）の上方において前記支持棒（１１０）に対して鉛直方向にスライド可能な上段スタンド（１４０）と、前記中段スタンド（１３０）及び前記上段スタンド（１４０）を鉛直方向にスライドさせるスタンドスライド機構（２００）と、を備え、前記スタンドスライド機構（２００）は、一対の第一アーム部材（２１０）と、一対の第二アーム部材（２２０）と、一対の第三アーム部材（２３０）と、一対の第四アーム部材（２４０）と、ハンドル部材（２５０）と、を備えており、前記一対の第一アーム部材（２１０）の各々の一端が前記支持棒（１１０）に回動自在に連結されており、前記一対の第二アーム部材（２２０）の各々の一端が前記一対の第一アーム部材（２１０）の各々の他端と回動自在に連結され、かつ、前記一対の第二アーム部材（２２０）の各々の前記一端と他端との間の回動支点（２２２）において前記中段スタンド（１３０）に対して回動自在に連結されており、前記一対の第三アーム部材（２３０）の各々の一端が前記一対の第二アーム部材（２２０）の各々の前記他端に回動自在に連結されており、前記ハンドル部材（２５０）は、その両端の間の第一回動支点（２５１）において、前記一対の第三アーム部材（２３０）の各々の他端と回動自在に連結されており、前記ハンドル部材（２５０）は、その両端の間の第二回動支点（２５２）において、前記接続部材（１３１）に対して回動自在に連結されており、前記ハンドル部材（２５０）は、その一端において、前記一対の第四アーム部材（２４０）の各々の一端と回動自在に連結されており、前記一対の第四アーム部材（２４０）の各々の他端は前記上段スタンド（１４０）に対して回動自在に連結されており、前記第一回動支点（２５１）は、前記一対の第四アーム部材（２４０）に連結されている前記ハンドル部材（２５０）の前記一端と前記第二回動支点（２５２）との間に位置しており、前記一対の第一アーム部材（２１０）の各々は前記支持棒（１１０）を間に挟んで相互に平行に配置され、前記一対の第二アーム部材（２２０）、前記一対の第三アーム部材（２３０）及び前記一対の第四アーム部材（２４０）の各々はそれぞれ前記中段スタンド（１３０）、前記ハンドル部材（２５０）及び前記上段スタンド（１４０）を間に挟んで相互に平行に配置されている伸縮スタンド装置を提供する。
【０００８】
さらに、本考案は、上下方向に伸縮可能な伸縮スタンド装置（１００）であって、一端が地面に接地し、鉛直方向に延びる支持棒（１１０）と、前記支持棒（１１０）に対して鉛直方向にスライド可能な中段スタンド（１３０）であって、水平方向に延びる接続部材（１３１）を有する中段スタンド（１３０）と、前記中段スタンド（１３０）の上方において前記支持棒（１１０）に対して鉛直方向にスライド可能な上段スタンド（１４０）と、前記中段スタンド（１３０）及び前記上段スタンド（１４０）を鉛直方向にスライドさせるスタンドスライド機構（２００）と、を備え、前記スタンドスライド機構（２００）は、第一アーム部材（２１０）と、第二アーム部材（２２０）と、第三アーム部材（２３０）と、第四アーム部材（２４０）と、ハンドル部材（２５０）と、を備えており、前記第一アーム部材（２１０）の一端が前記支持棒（１１０）に回動自在に連結されており、前記第二アーム部材（２２０）の一端が前記第一アーム部材（２１０）の他端と回動自在に連結され、かつ、前記第二アーム部材（２２０）の前記一端と他端との間の回動支点（２２２）において前記中段スタンド（１３０）に対して回動自在に連結されており、前記第三アーム部材（２３０）の一端が前記第二アーム部材（２２０）の前記他端に回動自在に連結されており、前記ハンドル部材（２５０）は、その両端の間の第一回動支点（２５１）において、前記第三アーム部材（２３０）の他端と回動自在に連結されており、前記ハンドル部材（２５０）は、その両端の間の第二回動支点（２５２）において、前記接続部材（１３１）に対して回動自在に連結されており、前記ハンドル部材（２５０）は、その一端において、前記第四アーム部材（２４０）の一端と回動自在に連結されており、前記第四アーム部材（２４０）の他端は前記上段スタンド（１４０）に対して回動自在に連結されており、前記第一回動支点（２５１）は、前記第四アーム部材（２４０）に連結されている前記ハンドル部材（２５０）の前記一端と前記第二回動支点（２５２）との間に位置している伸縮スタンド装置を提供する。
【０００９】
前記ハンドル部材（２５０）は、例えば、Ｙ字状に二股に分かれている二股部分（２６１）と、前記二股部分（２６１）から延びる棒状の棒状部分（２６２）と、から構成することができる。この場合、前記二股部分（２６１）の各々において前記一対の第三アーム部材（２３０）の各々の他端または前記第三アーム部材（２３０）の他端と回動自在に連結され、前記棒状部分（２６２）において前記接続部材（１３１）と回動自在に連結され、前記二股部分（２６１）の各先端において前記一対の第四アーム部材（２４０）の各々の一端または前記第四アーム部材（２４０）の一端と回動自在に連結される。
【００１０】
本考案に係る伸縮スタンド装置（３００）は、前記ハンドル部材（２５０）の他端において前記ハンドル部材（２５０）に対して着脱可能な重り（３１０）を有することが好ましい。
【００１１】
本考案に係る伸縮スタンド装置（４００）は、前記一対の第一アーム部材（２１０）と前記一対の第二アーム部材（２２０）との間または前記第一アーム部材（２１０）と前記第二アーム部材（２２０）との間、前記一対の第二アーム部材（２２０）と前記一対の第三アーム部材（２３０）との間または前記第二アーム部材（２２０）と前記第三アーム部材（２３０）との間、及び、前記一対の第三アーム部材（２３０）と前記一対の第四アーム部材（２４０）との間または前記第三アーム部材（２３０）と前記第四アーム部材（２４０）との間の少なくとも何れか一つに配置されたバネ部材（４１０）であって、それぞれ前記一対の第二アーム部材（２２０）を前記一対の第一アーム部材（２１０）に向かう方向もしくは前記第二アーム部材（２２０）を前記第一アーム部材（２１０）に向かう方向、前記一対の第三アーム部材（２３０）を前記一対の第二アーム部材（２２０）に向かう方向もしくは前記第三アーム部材（２３０）を前記第二アーム部材（２２０）に向かう方向、または、前記一対の第四アーム部材（２４０）を前記一対の第三アーム部材（２３０）に向かう方向もしくは前記第四アーム部材（２４０）を前記第三アーム部材（２３０）に向かう方向に付勢するバネ部材（４１０）を備えることが好ましい。
【考案の効果】
【００１２】
本考案に係る伸縮スタンド装置によれば、ハンドル部材を回動させるだけで、伸縮スタンド装置の上端に取り付けた穿孔器具を所望の高所の位置に到達させることができる。このため、従来のように、作業者が穿孔器具を持って脚立や足場を昇る必要はなくなる。さらに、脚立または足場を使うことができないような狭いスペースしかない場合であっても、本考案に係る伸縮スタンド装置を設置するスペースさえあれば、所望の高所の位置に穴あけ作業を実施することが可能になる。
【考案を実施するための最良の形態】
【００１３】
（第一の実施形態）
図１は、本考案の第一の実施形態に係る伸縮スタンド装置１００の正面図である。
【００１４】
本実施形態に係る伸縮スタンド装置１００は、支持棒１１０と、下段スタンド１２０と、中段スタンド１３０と、上段スタンド１４０と、スタンドスライド機構２００と、を備えている。
【００１５】
支持棒１１０は剛性を有する真直な棒からなる。例えば、支持棒１１０は鋼鉄の棒からなる。
【００１６】
下段スタンド１２０は円柱状の筒体からなり、その内部には支持棒１１０を嵌合させることができるようになっている。
【００１７】
図１に示すように、下段スタンド１２０は地面１５０上に固定された状態で鉛直方向に立っている。支持棒１１０は下段スタンド１２０に固定的に嵌め込まれている。このため、支持棒１１０は鉛直方向に延びている。
【００１８】
中段スタンド１３０は円柱状の筒体からなり、その内部には支持棒１１０を嵌合させることができるようになっている。支持棒１１０は中段スタンド１３０の内部にスライド可能に嵌め込まれている。すなわち、中段スタンド１３０は、下段スタンド１２０の上方において、支持棒１１０に沿って鉛直上下方向にスライド可能である。
【００１９】
中段スタンド１３０には、その上端において、水平方向に延びる接続部材１３１が形成されている。接続部材１３１は板状の部材からなり、板状部材の表裏の面が鉛直方向と平行になるように配置されている。
【００２０】
上段スタンド１４０は円柱状の筒体からなり、その内部には支持棒１１０を嵌合させることができるようになっている。支持棒１１０は上段スタンド１４０の内部にスライド可能に嵌め込まれている。すなわち、上段スタンド１４０は、中段スタンド１３０の上方において、支持棒１１０に沿って鉛直上下方向にスライド可能である。
【００２１】
上段スタンド１４０の上端にはドリルその他の穿孔器具１６０が取り付けられている。穿孔器具１６０にはコード１６１を介して電気または圧縮空気が供給され、穿孔器具１６０は電気または圧縮空気を動力源として穿孔作業を実施する。
【００２２】
スタンドスライド機構２００は中段スタンド１３０及び上段スタンド１４０を鉛直方向にスライドさせる機能を有している。
【００２３】
具体的には、スタンドスライド機構２００は、一対の第一アーム部材２１０と、一対の第二アーム部材２２０と、一対の第三アーム部材２３０と、一対の第四アーム部材２４０と、ハンドル部材２５０と、を備えている。
【００２４】
一対の第一アーム部材２１０の各々は、その一端において、回動支点２１１を介して、下段スタンド１２０に回動自在に連結されている。
【００２５】
一対の第二アーム部材２２０の各々は、その一端において、回動支点２２１を介して、一対の第一アーム部材２１０の各々の他端と回動自在に連結されている。
【００２６】
さらに、一対の第二アーム部材２２０の各々は、その両端の間に位置する回動支点２２２において、中段スタンド１３０に対して回動自在に連結されている。
【００２７】
一対の第三アーム部材２３０の各々は、その一端において、回動支点２３１を介して、一対の第二アーム部材２２０の各々の他端に回動自在に連結されている。
【００２８】
ハンドル部材２５０は、その両端の間の第一回動支点２５１において、一対の第三アーム部材２３０の各々の他端と回動自在に連結されている。
【００２９】
さらに、ハンドル部材２５０は、その両端の間の第二回動支点２５２において、接続部材１３１に対して回動自在に連結されている。
【００３０】
さらに、ハンドル部材２５０は、その一端において、一対の第四アーム部材２４０の各々の一端と回動支点２５３を介して回動自在に連結されている。
【００３１】
第一回動支点２５１は、一対の第四アーム部材２４０に連結されているハンドル部材２５０の端部と第二回動支点２５２との間に位置している。
【００３２】
一対の第四アーム部材２４０の各々は、その他端において、回動支点２４１を介して、上段スタンド１４０に対して回動自在に連結されている。
【００３３】
一対の第一アーム部材２１０の各々は下段スタンド１２０を間に挟んで相互に平行に配置されている。同様に、一対の第二アーム部材２２０、一対の第三アーム部材２３０及び一対の第四アーム部材２４０の各々もそれぞれ中段スタンド１３０、ハンドル部材２５０、上段スタンド１４０を間に挟んで相互に平行に配置されている。
【００３４】
図２は、ハンドル部材２５０と接続部材１３１、一対の第三アーム部材２３０及び一対の第四アーム部材２４０との接続状況を示す断面図である。
【００３５】
図２に示すように、ハンドル部材２５０は、Ｙ字状に二股に分かれている一対の二股部分２６１と、二股部分２６１が結合されている部分から延びる棒状の棒状部分２６２と、からなる。
【００３６】
二股部分２６１は中段スタンド１３０を間に挟んで相互に平行になるように形成されている。
【００３７】
ハンドル部材２５０は、一対の二股部分２６１の各々において一対の第三アーム部材２３０の各々の他端と第一回動支点２５１を介して回動自在に連結されている。
【００３８】
さらに、ハンドル部材２５０は、棒状部分２６２において接続部材１３１と第二回動支点２５２を介して回動自在に連結されている。
【００３９】
また、ハンドル部材２５０は、二股部分２６１の各先端において一対の第四アーム部材２４０の各々の一端と回動支点２５３を介して回動自在に連結されている。
【００４０】
図３は、図１に示す状態からハンドル部材２５０を回動させた後における本実施形態に係る伸縮スタンド装置１００の正面図である。
【００４１】
以下、図１及び図３を参照して、本実施形態に係る伸縮スタンド装置１００の動作を説明する。
【００４２】
当初の状態においては、図１に示すように、中段スタンド１３０及び上段スタンド１４０は下段スタンド１２０に対して近接して位置している。すなわち、図１に示す状態において、本実施形態に係る伸縮スタンド装置１００は最小の高さ（下段スタンド１２０の下端から上段スタンド１４０の上端までの高さ）となっている。
【００４３】
本実施形態に係る伸縮スタンド装置１００を伸長させるためには、この状態から、第二回動支点２５２を中心としてハンドル部材２５０の棒状部分２６２を時計方向Ｒ（図１参照）に回転させる。
【００４４】
これにより、第一回動支点２５１は第二回動支点２５２を中心として時計方向に回動する。第一回動支点２５１が第二回動支点２５２を中心として時計方向に回動すると、第一回動支点２５１を介して回動自在に連結されている一対の第三アーム部材２３０は、ハンドル部材２５０の回動とともに、全体的に上方に移行する。
【００４５】
一対の第三アーム部材２３０が全体的に上方に移行すると、回動支点２３１を介して一対の第三アーム部材２３０と回動自在に連結されている一対の第二アーム部材２２０も全体的に上方に移行する。
【００４６】
一対の第二アーム部材２２０が全体的に上方に移行すると、回動支点２２２を介して一対の第二アーム部材２２０と回動自在に連結されている中段スタンド１３０が支持棒１１０に沿って上方にスライドする。
【００４７】
さらに、一対の第二アーム部材２２０が全体的に上方に移行するのに伴って、回動支点２２１を介して一対の第二アーム部材２２０と回動自在に連結されている一対の第一アーム部材２１０は回動支点２１１を中心として反時計方向に回動する。
【００４８】
第二回動支点２５２を中心としてハンドル部材２５０の棒状部分２６２を時計方向Ｒ（図１参照）に回転させると、回動支点２５３を介してハンドル部材２５０と回動自在に連結している一対の第四アーム部材２４０は、ハンドル部材２５０の回動に伴って、全体的に上方に移行する。
【００４９】
一対の第四アーム部材２４０が、ハンドル部材２５０の回動に伴って、全体的に上方に移行すると、回動支点２４１を介して一対の第四アーム部材２４０と回動自在に連結されている上段スタンド１４０も支持棒１１０に沿って上方にスライドする。
【００５０】
以上のように、ハンドル部材２５０の棒状部分２６２を時計方向Ｒ（図１参照）に回転させることにより、中段スタンド１３０及び上段スタンド１４０を支持棒１１０に沿って上方にスライドさせることができ、ひいては、穿孔器具１６０を上方に移動させることが可能になる。
【００５１】
図３は、本実施形態に係る伸縮スタンド装置１００が最大の高さになっている状態を示す。この状態において、穿孔器具１６０を作動させ、天井の所望の位置において穴あけ作業を実施する。
【００５２】
本実施形態に係る伸縮スタンド装置１００を図３に示す状態から図１に示す状態に移行させるためには、すなわち、伸縮スタンド装置１００を収縮させるためには、第二回動支点２５２を中心としてハンドル部材２５０の棒状部分２６２を反時計方向Ｓ（図３参照）に回動させる。
【００５３】
これにより、本実施形態に係る伸縮スタンド装置１００が伸長した場合とは逆の動作が行われ、伸縮スタンド装置１００は収縮する。すなわち、図１に示した状態に戻る。
【００５４】
以上のように、本実施形態に係る伸縮スタンド装置１００によれば、ハンドル部材２５０を回動させるだけで穿孔器具１６０を所望の高所の位置に到達させることができる。このため、従来のように、作業者が穿孔器具１６０を持って脚立や足場を昇る必要はなくなり、また、脚立または足場を使うことができないような狭いスペースしかない場合であっても、本実施形態に係る伸縮スタンド装置１００を設置する小さなスペースがあれば、所望の高所の位置に穴あけ作業を実施することが可能になる。
【００５５】
上述の第一の実施形態に係る伸縮スタンド装置１００の構造は上述の構造に限定されるものではなく、種々の改変が可能である。
【００５６】
例えば、本実施形態に係る伸縮スタンド装置１００は下段スタンド１２０を備えるものとして構成されているが、下段スタンド１２０を備えることは必ずしも必要ではない。下段スタンド１２０を設けることなく、支持棒１１０をその下端において直接的に地面１５０に固定することも可能である。この場合には、一対の第一アーム部材２１０は支持棒１１０に対して回動自在に連結される。
【００５７】
また、本実施形態に係る伸縮スタンド装置１００においては、ハンドル部材２５０は一対の二股部分２６１と棒状部分２６２とから構成されているが、ハンドル部材２５０をこのように構成することは必ずしも必要ではない。接続部材１３１、一対の第三アーム部材２３０及び一対の第四アーム部材２４０とそれぞれ独立に回動自在に連結することができる構造を有するものである限り、ハンドル部材２５０は任意の構造をとることができる。
【００５８】
また、支持棒１１０は、例えば、ネジその他の連結手段を介して、延長用支持棒と連結させることにより、延長させることが可能である。あるいは、支持棒１１０を入れ子式の構造としておくことにより、支持棒１１０を上方に延長させ、その延長した支持棒１１０に穿孔器具１６０を配置することも可能である。
【００５９】
その場合、穿孔器具１６０のスイッチに手が届かなくなることもあるので、穿孔器具１６０にはオン・オフスイッチ付きの延長コードを接続させておく。
【００６０】
（第二の実施形態）
図４は、本考案の第二の実施形態に係る伸縮スタンド装置３００の部分的な正面図である。
【００６１】
本実施形態に係る伸縮スタンド装置３００は、第一の実施形態に係る伸縮スタンド装置１００と比較して、ハンドル部材２５０に取り付けられている重り３１０を備えている。この点を除いて、本実施形態に係る伸縮スタンド装置３００は第一の実施形態に係る伸縮スタンド装置１００と同一の構造を有している。
【００６２】
重り３１０は、ハンドル部材２５０の他端（回動支点２５３が位置する端部とは反対側の端部）において、棒状部分２６２に着脱可能に取り付けられている。
【００６３】
重り３１０は、金属（鉄、銅など）や石などの重量物からなる。
【００６４】
ハンドル部材２５０の他端に重り３１０を取り付けることにより、ハンドル部材２５０を時計方向Ｒ（図１参照）に回動させる場合に、より少ない力でハンドル部材２５０を回動させることが可能になる。
【００６５】
（第三の実施形態）
図５は、本考案の第三の実施形態に係る伸縮スタンド装置４００の部分的な正面図である。
【００６６】
本実施形態に係る伸縮スタンド装置４００は、第一の実施形態に係る伸縮スタンド装置１００と比較して、一対の第一アーム部材２１０と一対の第二アーム部材２２０との間に配置され、一対の第二アーム部材２２０を一対の第一アーム部材２１０に向かう方向に付勢するバネ部材４１０を備えている。この点を除いて、本実施形態に係る伸縮スタンド装置４００は第一の実施形態に係る伸縮スタンド装置１００と同一の構造を有している。
【００６７】
バネ部材４１０を備えることにより、一対の第二アーム部材２２０が一対の第一アーム部材２１０に向かう方向に引っ張られるため、ハンドル部材２５０を時計方向Ｒ（図１参照）に回動させる場合に、より少ない力でハンドル部材２５０を回動させることが可能になる。
【００６８】
なお、本実施形態に係る伸縮スタンド装置４００においては、一対の第一アーム部材２１０と一対の第二アーム部材２２０との間にバネ部材４１０を配置したが、一対の第二アーム部材２２０と一対の第三アーム部材２３０との間にバネ部材を配置することも可能である。この場合のバネ部材は一対の第三アーム部材２３０を一対の第二アーム部材２２０に向かう方向に付勢する。あるいは、一対の第三アーム部材２３０と一対の第四アーム部材２４０との間にバネ部材を配置することも可能である。この場合のバネ部材は一対の第四アーム部材２４０を一対の第三アーム部材２３０に向かう方向に付勢する。
【００６９】
さらには、上記のバネ部材のうちの２個以上を同時に配置することも可能である。
【００７０】
（第四の実施形態）
第一の実施形態に係る伸縮スタンド装置１００においては、スタンドスライド機構２００は、一対の第一アーム部材２１０と、一対の第二アーム部材２２０と、一対の第三アーム部材２３０と、一対の第四アーム部材２４０と、ハンドル部材２５０と、から構成されており、一対の第一アーム部材２１０の各々は支持棒１１０を間に挟んで相互に平行に配置され、一対の第二アーム部材２２０、一対の第三アーム部材２３０及び一対の第四アーム部材２４０の各々はそれぞれ中段スタンド１３０、ハンドル部材２５０及び上段スタンド１４０を間に挟んで相互に平行に配置されている。
【００７１】
すなわち、第一の実施形態に係る伸縮スタンド装置１００においては、各アーム部材はいずれも一対のアーム部材として構成されているが、一対のアーム部材に代えて、各アーム部材を単一のアーム部材として構成することも可能である。各アーム部材として単一のアーム部材を用いる場合にも、他の構成要素との位置関係及び接続関係は第一の実施形態に係る伸縮スタンド装置１００の場合と同じである。
【図面の簡単な説明】
【００７２】
【図１】本考案の第一の実施形態に係る伸縮スタンド装置の正面図である。
【図２】本考案の第一の実施形態に係る伸縮スタンド装置におけるハンドル部材と接続部材、一対の第三アーム部材及び一対の第四アーム部材との接続状況を示す断面図である。
【図３】本考案の第一の実施形態に係る伸縮スタンド装置の正面図である。
【図４】本考案の第二の実施形態に係る伸縮スタンド装置の部分的な正面図である。
【図５】本考案の第三の実施形態に係る伸縮スタンド装置の部分的な正面図である。
【符号の説明】
【００７３】
１００  本考案の第一の実施形態に係る伸縮スタンド装置
１１０  支持棒
１２０  下段スタンド
１３０  中段スタンド
１３１  接続部材
１４０  上段スタンド
１５０  地面
１６０  穿孔器具
１６１  コード
２００  スタンドスライド機構
２１０  一対の第一アーム部材
２２０  一対の第二アーム部材
２３０  一対の第三アーム部材
２４０  一対の第四アーム部材
２５０  ハンドル部材
２５１  第一回動支点
２５２  第二回動支点
２１１、２２１、２３１、２５１、２５３、２４１  回動支点
２６１  二股部分
２６２  棒状部分
３００  本考案の第二の実施形態に係る伸縮スタンド装置
３１０  重り
４００  本考案の第三の実施形態に係る伸縮スタンド装置
４１０  バネ部材
【図１】
0003133863.tif 000003
【図２】
0003133863.tif 000004
【図３】
0003133863.tif 000005
【図４】
0003133863.tif 000006
【図５】
0003133863.tif 000007